(57)【要約】  本発明は、ブロー成形用金型に閉じ込められた熱可塑性のブランク材（７）から加圧流体の助けによって容器をブロー成形するための装置（１）であって、端部（５）がブランク材（７）の首部（６）へと機能的かつ気密に接続されるノズル（４）と、このノズル（４）を、中程度に加圧された予備ブロー成形用の流体の供給源、高圧に加圧されたブロー成形用の流体の供給源、および予備ブロー成形用／ブロー成形用の流体を排出するための排気へと選択的に接続するための、いくつかのソレノイドバルブとを備える装置（１）に関する。さらに本発明の装置は、ソレノイドバルブを収容するための少なくとも１つの収容領域（１２、１４、１６）であって、ノズル（４）へと選択的に接続（１３、１５、１７）することができる少なくとも１つの収容領域（１２、１４、１６）を組み込む本体を、ノズルに機械的に組み合わせて備えている。
2008503372.tif 000002
【特許請求の範囲】
【請求項１】
本体部分がブロー成形用金型に囲まれてなる熱可塑性のブランク材（７）から加圧流体によって容器をブロー成形するための装置（１）であって、ブランク材（７）の首部（６）へと機能的かつ気密に接続されるように形成された端部（５）で構成されているノズル（４）と、前記ノズル（４）を、それぞれ予備ブロー成形のための中程度の圧力の流体源、ブロー成形のための高圧の流体源、および予備ブロー成形／ブロー成形用の流体を排出するための排気へと選択的に接続するための、複数のソレノイドバルブとを備え、
ノズルに機械的に組み合わせられてなる本体が、ソレノイドバルブを収容するように構成された少なくとも１つのハウジング（１２、１４、１６）を組み込み、少なくとも１つのハウジング（１２、１４、１６）がノズル（４）と選択的に連通（１３、１５、１７）することを特徴とする、装置。
【請求項２】
ノズル（４）を支持している本体（２）に、前記ハウジング（１２、１４、１６）が設けられていることを特徴とする、請求項１に記載の装置。
【請求項３】
ノズルが下方において釣り鐘状の端部を終端としている装置であって、
ノズル（４）の終端となっている釣り鐘の本体が、ハウジング（１２、１４、１６）を備えて設計されていることを特徴とする、請求項１に記載の装置。
【請求項４】
ハウジング（１２、１４、１６）が、本体（２）の上面からノズルの軸と平行に延在していることを特徴とする、請求項１から３のいずれか一項に記載の装置。
【請求項５】
ハウジング（１２、１４、１６）が、ノズル（４）から半径方向に延在していることを特徴とする、請求項１から３のいずれか一項に記載の装置。
【請求項６】
ハウジング（１２、１４、１６）が、前記ノズルを収容している穴（３）に対して側方にずらされることによって、ノズル（４）に対して横方向に延在していることを特徴とする、請求項１から３のいずれか一項に記載の装置。
【請求項７】
各ハウジング（１２、１４、１６）が、ソレノイドバルブの可動コアの各チャンバを形成するように機械加工されていることを特徴とする、請求項１から６のいずれか一項に記載の装置。
【請求項８】
各ハウジング（１２、１４、１６）が、それぞれのソレノイドバルブカートリッジ（１９）を受け入れるように形成されていることを特徴とする、請求項１から６のいずれか一項に記載の装置。
【請求項９】
ソレノイドバルブカートリッジ（１９）を制御するための装置（３２）が、ハウジング（１２、１４、１６）の外側に取り付けられていることを特徴とする、請求項７または８に記載の装置。
【請求項１０】
消音器として機能する装置（２８）に組み合わせられた排気用のソレノイドバルブを備えることを特徴とする、請求項９に記載の装置。
【請求項１１】
ブロー成形の結果としての残余の圧力の加圧流体を回収するための回路、および排気にそれぞれ組み合わせられた、少なくとも２つのソレノイドバルブを備えており、ノズル本体に、これら４つの各ソレノイドバルブのための４つのハウジングが設けられていることを特徴とする、請求項１から１０のいずれか一項に記載の装置。
【請求項１２】
少なくとも予備ブロー成形用およびブロー成形用のソレノイドバルブ、ならびにそれらの各ハウジングが、閉鎖位置において、前記ソレノイドバルブのそれぞれのバルブ部材の各前面がノズルの内壁と同一面になるように設計されていることを特徴とする、請求項５、および請求項７から１１のいずれか一項に記載の装置。
【発明の詳細な説明】
【技術分野】
【０００１】
本発明は、概して、ブランク材（予備成形物または中間容器）からブロー成形法またはストレッチブロー成形法によって、ＰＥＴまたはＰＥＮなどの熱可塑性材料製の容器を製造する分野に関し、さらに具体的には、本体部分がブロー成形用金型に囲まれてなる熱可塑性のブランク材から加圧流体によって容器をブロー成形するための装置であって、ブランク材の首部へと機能的かつ気密に接続されるように形成された端部で構成されているノズルと、このノズルを例えば予備ブロー成形のための中程度の圧力の流体源、ブロー成形のための高圧の流体源、および予備ブロー成形／ブロー成形用の流体を排出するための排気へと、それぞれ選択的に接続するための複数のソレノイドバルブとを備える装置に対してなされる改善に関する。
【背景技術】
【０００２】
すでに知られているように、ノズルは、その全体または一部が、ブロー成形用金型の上方で、ノズルが機能していない上方位置または上昇位置（金型を開放および閉鎖することによって、ブランク材の導入および成形済みの容器の取り出しが可能である）と、ノズルの端部がブランク材の首部またはブランク材の首部を突き出させている金型の表面と気密に協働してノズルが機能する下方位置または吹き込み位置との間を、軸方向に可動であるように設計されている。
【０００３】
機能位置においてノズルの端部がブランク材の首部と積極的に協働して、ブランク材の首部のリップ（縁）に気密に当接し、あるいはブランク材の首部の内側または外側へと気密にはまり込む、ブロー成形装置が知られている。
【０００４】
また、ノズルの端部が、ブランク材の首部よりも大きい釣り鐘の形状に構成され、ブランク材の首部を突き出させている金型の前面に当接して気密に支持されることによってこの首部を覆って塞ぐ、ブロー成形装置も知られている（例えば、仏国特許第２７６４５４４号明細書を参照されたい）。
【０００５】
ブロー成形の手順は、通常は、中程度の圧力（例えば、７×１０５Ｐａ）の流体（一般的には、空気）によってブランク材を予備ブロー成形する工程、次いで、一般的には引き伸ばし棒による機械的な軸方向の引き伸ばしを伴う高い圧力（例えば、４０×１０５Ｐａ）でのブロー成形工程そのもの、および最後に予備ブロー成形／ブロー成形用の空気を排出する排気工程、で構成されている。これら種々の工程において、一方では中程度の圧力の流体源、高圧の流体源、および排気へとそれぞれ接続され、他方ではノズルへと接続されている３つの各ソレノイドバルブが、順次に制御される。
【０００６】
ここで考えられている種類のブロー成形装置は、中程度の圧力であるか、高い圧力であるかにかかわらず、きわめて大量の加圧流体を消費する。大量の加圧流体（空気）を絶えず生成するため、圧縮機を機能させるために電力がきわめて大量に消費されることになる。結果として、これらブロー成形装置のユーザの側に、電気エネルギーの消費を少なくするため、使用される加圧流体の量をできるだけ大きく低減するという、不断かつ切迫した要望が存在する。
【０００７】
ブロー成形作業において有用に使用される体積が、金型の成形用空洞の壁面に対して最終形状へと押し付けられる容器の体積、すなわち実質的に成形用空洞の体積のみにすぎないことを理解されたい。対照的に、予備ブロー成形用またはブロー成形用のソレノイドバルブの出口と容器の首部との間に位置する全ての体積は、厳密に言うと、ブランク材の変形にとって無用の体積であり、したがって死空間である。ブランク材を予備ブロー成形およびブロー成形する各工程において、これらの死空間が、有用な体積と同じやり方で加圧流体によって満たされ、したがって実際の必要よりもかなり多い加圧流体を生成する必要がある。死空間は、有用な体積に比べて無視し得ない大きさであり、これら死空間の縮小が、流体圧縮機の出力、したがってコストについて可能な低減に関し、さらには圧縮機の動作に必要とされる電気エネルギーの低減に関して、有益であることが明らかである。
【０００８】
ブロー成形装置の第１の設計においては、ソレノイドバルブが、ノズルから離れたフレームに取り付けられた固定の基部上に一体にまとめられている。可撓チューブが、ソレノイドバルブの共通の出口をノズルの接続用開口へと接続している（例えば、上述の仏国特許第２７６４５４４号明細書の図１のチューブ２３）。この設計においては、特に遠隔接続のために可撓チューブが存在しているため、死空間がきわめて大きい。
【０００９】
続く設計においては、死空間が、可撓接続チューブを除去し、ソレノイドバルブブロックを、仏国特許第２７６４５４４号明細書の図１のチューブ２３の接続位置においてノズルの本体に直接取り付けることによって、目に見えて縮小されている。しかしながら、現在も存在し続けているこの設計においては、ソレノイドバルブブロックおよびノズルの２つの各本体が並置されることで、相当の長さの流体通路がさらに必要とされており、これが依然として、消費の点で大きすぎる死空間をもたらしている。結果として、ユーザは、電気エネルギーの消費をさらに低減するため、加圧流体の消費をさらに少なくしたいという要望を、依然として抱いている。
【００１０】
さらには、ソレノイドバルブブロックがノズルから離れて位置して存在し、あるいはノズルに並置されて存在することで、組立体が重くて不格好なものとなっている。
【発明の開示】
【発明が解決しようとする課題】
【００１１】
したがって、本発明の目的は、これらユーザの絶え間ない要望を可能な限り満足させるべく試みることにあり、金型の成形用空洞に配置されたブランク材へと加圧流体を供給するための回路において死空間のきわめて大きな低減をもたらすとともに、より軽量かつ小型の構造組立体をもたらすことがさらに可能である、改良されたブロー成形装置の配置構成を提案することにある。
【課題を解決するための手段】
【００１２】
これらの目的のため、プリアンブルに記載されるブロー成形装置は、本発明に従って設計され、ノズルに機械的に組み合わせられてなる本体が、各１つのソレノイドバルブを収容するように構成された少なくとも１つのハウジングを組み込んでおり、この少なくとも１つのハウジングがノズルと選択的に連通することを特徴とする。
【００１３】
この一体化された構造ゆえ、ソレノイドバルブの出口がノズルの端部へと顕著に近づけられ、結果として死空間が、求められる主たる目的に従って顕著に削減される。
【００１４】
このような一体の配置構成が、さらに、ソレノイドバルブを取り付けるための基部および場合によっては可撓の接続を不要にするという追加の利点を提供し、コストの削減（より経済的な配置構成）、空間の節約（より小型の配置構成が可能になり、および／または空間を他の部品の取り付けに利用できる）、および重量の削減（回転木馬式の回転構造の慣性の減少）をもたらすことに、留意されたい。
【００１５】
特にブランク材の首部と積極的に協働するノズルに関係する好ましい実施形態においては、ノズルを支持している本体に、上述のハウジングが設けられる。しかしながら、ノズルに釣り鐘状の端部が設けられている装置に関係するさらに考えられる実施形態においては、この釣り鐘の本体が、上述のハウジングを備えるように設計される。これらの実施形態において、ハウジングを本体の上面からノズルの軸と平行に延伸させることが可能であり、あるいはハウジングをノズルから半径方向に延伸させることが可能であり、あるいはハウジングを、上記ノズルを収容している穴に対して側方にずらすことによって、ノズルに対して横方向に延伸させることさえ可能である。
【００１６】
本発明による配置構成について考えられる第１の実施形態においては、各ハウジングを、ソレノイドバルブの可動コアのそれぞれのチャンバを形成するように機械加工することができ、すなわち、本体の各部分が、そこにハウジングが形成されるように機械加工されるだけでなく、このハウジングがソレノイドバルブの可動コアを直接受け入れるべく構成されるように機械加工される。この解決策は、構成部品の数が最大限に削減されるという利点を提供するとともに、死空間の大幅な削減を達成することができるが、この最大限に一体化された構造は、解体に時間がかかり、および／またはソレノイドバルブのチャンバに深刻な問題が生じた場合に、本体の対応する部分の全体を交換しなければならないため、保守において実用的でないことが明らかになっている。
【００１７】
したがって、本発明の配置構成の好ましい実現例は、各ハウジングが各ソレノイドバルブカートリッジを収容するように形成されている点にあり、すなわちソレノイドバルブ構造が、可動コアを収容するチャンバを画定するケーシングを備えている。これにより、保守が単純にカートリッジを交換することによって実行され、そのような作業は、容易かつ迅速に実行できる。
【００１８】
しかしながら、どちらの解決策が使用されるにせよ、やはり保守を容易にするという目的において、ソレノイドバルブの制御装置をハウジングの外部に取り付けることが好ましい。
【００１９】
本発明の装置の有利な変形においては、排気用のソレノイドバルブが設けられ、消音器として機能する装置が、この排気用のソレノイドバルブに組み合わせられる。したがって、この排気用のソレノイドバルブの制御装置を、上記消音装置の端部に取り付けることができ、あるいは場合によっては筒状のチャンバとして形作られた上記装置の内側に配置することができる。
【００２０】
最後に、加圧流体製造ステーションについて節約を行う必要から、排気回路に２つのソレノイドバルブを導入し、ノズル本体にこれら２つのそれぞれのソレノイドバルブのための２つのハウジングを設けることが考えられ、これらのソレノイドバルブの一方が、（例えば、低い圧力の供給源に向かって導かれることによって）空気を回収または再使用するための回路に組み合わせられ、他方のソレノイドバルブが、大気への排出の工程を完了させるべく機能する。このような場合、この後者のソレノイドバルブを、上述の消音装置に組み合わせることができる。
【００２１】
やはり死空間を最大限に縮小するという目的において、少なくとも予備ブロー成形用およびブロー成形用のソレノイドバルブならびにそれらの各ハウジングを、閉鎖位置においてこれらのソレノイドバルブのそれぞれのバルブ部材の各前面が、ノズルの内壁と同一面になるように設計することが、さらに考えられる。
【００２２】
分かりやすくするため、３つのソレノイドバルブが設置されている典型的な例において、死空間を、本発明の配置構成を実現することによって、現行の配置構成における約１８７ｃｍ３に対して、約１８．５ｃｍ３という大きさにまで削減することができ、すなわち約１６８ｃｍ３という顕著な削減が可能である。
【００２３】
本発明を、あくまで説明のために提示され、本発明を限定するものではない特定の好ましい実施形態についての以下の詳細な説明を読むことによって、よりよく理解できるであろう。この説明において、添付の図面が参照される。
【発明を実施するための最良の形態】
【００２４】
図１を最初に参照すると、３つのソレノイドバルブ（それぞれ、予備ブロー成形用、ブロー成形用、および排気用）を備える装置へと本発明の基本的な配置構成を適用して実現されるブロー成形装置の構造が、簡略化されて、きわめて概略的に示されている。ブロー成形装置は、その全体が参照符号１にて示されているが、軸方向の穴３を有する本体２を備えており、穴３内を、一般的には空気圧式の制御手段（図示せず）の作用のもとで、筒状棒の形態であってその一部分（図示せず）をピストンの形状に設計できる可動要素または可動ノズル４が変位することができる。分かりやすさのため、本体２および可動ノズル４の相互の配置構成は、例えば仏国特許第２７６４５４４号明細書の図１に示されている形式の配置構成であってよい。可動ノズル４の下端５は、所望の任意の様相で、容器のブランク材７（ここでは、予備成形物の形態で示されている）の首部６または口部へと機能的かつ気密に接続できるように形成されている。図示の例では、可動ノズル４が下げられたときに、下端５がブランク材７の首部６を封止の様相で覆うとともに、この首部の基部に位置するフランジ８に当接するように設計されている。また、下端５を、首部６のリップまたは縁８ａに気密に当接するように設計することも可能であり、あるいは首部６を離間して囲みつつ、首部６およびフランジ８を突き出させている金型の表面に気密に当接する釣り鐘として、形作ってもよい。
【００２５】
筒状棒の形態である可動ノズル４は、従来の様相で、可動ノズル４と同軸であって、それ自体がブロー成形の際に公知の技法に従ってブランク材７の基部を機械的に駆動すべく軸方向に変位可能である、細長い棒９を囲んでいる。細長い棒９は、案内部材（この図には示されていない）によって同軸の位置に保持されている。細長い棒９の直径は、予備ブロー成形用の流体およびブロー成形用の流体の供給、ならびに成形プロセスの最後におけるこれら流体の排出のために設計された、環状の軸方向の通路１０を画定するため、可動ノズル４の内表面の直径よりも小さい。
【００２６】
予備ブロー成形用／ブロー成形用の流体の供給および排出を制御するため、少なくとも３つの各ソレノイドバルブが、環状の通路１０を、それぞれ予備ブロー成形用の中程度の圧力（典型的には、７×１０５Ｐａ）の流体源、ブロー成形用の高圧（典型的には、４０×１０５Ｐａ）の流体源、および予備ブロー成形用／ブロー成形用流体を排出するための排気のうちの１つへと接続するために、設けられている。
【００２７】
現在知られている配置構成においては、ソレノイドバルブが、本体２から離間し（仏国特許第２７６４５４４号明細書）、あるいは本体２の外表面にぴったりと当接して、本体２の外部に配置されている。
【００２８】
本発明によれば、これらのソレノイドバルブが、本体２内に組み込まれる。図１に概略的に示されているように、本体２の上部１１が、これまでよりも厚い部品の形態に製作されており、上部１１に少なくとも３つのハウジングが、３つの各ソレノイドバルブを収容すべく設けられている。すなわち、
・ハウジング１２が、予備ブロー成形用のソレノイドバルブを収容するように設計され、半径方向の管路１３によって環状の通路１０と連通しており、
・ハウジング１４が、ブロー成形用のソレノイドバルブを収容するように設計され、半径方向の管路１５によって環状の通路１０と連通しており、
・ハウジング１６が、排気用のソレノイドバルブを収容するように設計され、半径方向の管路１７によって環状の通路１０と連通している。
【００２９】
図１に提示した簡略図においては、ソレノイドバルブのハウジングのみが図示され、ソレノイドバルブそのものは図示されていない（ソレノイドバルブの具体例は、後述する）。
【００３０】
図１の例では、ハウジング１２、１４、および１６が、軸を実質的に上述の穴３の軸と平行に有している回転円柱形のハウジングの形態に、組織的に配列されている。しかしながら、他の配置構成も可能であり、そのような例は後述する。
【００３１】
動作速度の向上という観点から、ブロー成形の終了時にブロー成形用の流体をきわめて迅速に排出して、金型を可能な限り迅速に開放することができるよう、半径方向の管路１７について示されているように、排気用の管路が普通以上に大きいことが望ましい。ブロー成形の後、排出される流体は依然としてかなりの圧力にあり、したがって再び捕まえて、中程度の圧力の（例えば、予備ブロー成形用の）流体源へと導くことができる。この場合、回収用のソレノイドバルブ（このソレノイドバルブがブロー成形後に作動する一方で、排気用のソレノイドバルブは、残余のブロー成形用流体を除去すべく最後に作動する）を収容するため、第４のハウジングが本体２内に設けられる。
【００３２】
各ハウジング１２、１４、１６を、開放／閉鎖バルブ部材を形成する可動コアを収容するように構成されたソレノイドバルブのチャンバを本体２内に直接画定するように、機械加工することが考えられる。このような解決策は、最適な構造的簡略化という利点を確かに提供する。この解決策は、後で検討するさらなる利点を有することができる。反面、この解決策では、保守が限定されるという結果にもなる。ソレノイドバルブに問題が生じた場合、本体２の関連部分の全体、場合によっては本体２の全体を、解体してときには交換さえしなければならない。この結果、保守のための時間が長くなり、コストが増加する。
【００３３】
これらの欠点を回避するため、各ハウジングへと配置されるように構成され、あるいは各ハウジングから容易かつ迅速に取り出すことができるように構成されたモジュールの形態で利用できる、ソレノイドバルブカートリッジという手段を用いることが、全体としてより好都合であると考えられる。この解決策は、結果として、保守がきわめて経済的である。
【００３４】
ハウジング１２、１４、１６が、各ソレノイドバルブ自体（すなわち、バルブ部材を形成する可動コアとコアの座とを収容しているチャンバ）を収容するように設計され、ソレノイドバルブのカバーが金型の外側表面に載せられる一方で、ソレノイドバルブの制御装置が依然としてハウジングの外にある点に、留意されたい。この配置構成の具体例を、以下に示す。
【００３５】
図２Ａ、図２Ｂ、および図２Ｃは、図１の配置構成の一変形を実現している具体的な一実施形態を示している。この具体的な実施形態においては、本体２を軸方向についてはるかに小型な形態で製作できるよう、ハウジング１２、１４（図２Ａ）、および１６（図２Ｂ）が、穴３の周囲に半径方向に配置されている。さらに、本体の製造が簡単化されるとともに、保守のためのソレノイドバルブへのアクセスが、より容易になっている。
【００３６】
図２Ａ、図２Ｂ、および図２Ｃは、本体２と一体であって、筒状の案内部１８を内側の細長い棒９と外側の可動ノズル４との間に介装して備えている細長い棒の案内手段を、はっきりと示している。
【００３７】
本体２の基部に対して半径方向に延在するハウジング１２が、ソレノイドバルブカートリッジ１９を収容している。ソレノイドバルブカートリッジ１９は、可動コア２２またはピストンを収容するチャンバ２１を画定するハウジング２０を備えている。ハウジング２０は、チャンバ２１内に、バルブ部材を形成している可動コア２２の頭部を受け入れてこれと気密に当接するように構成された座２３を画定する。ハウジング２０の壁面は、中程度の圧力の予備ブロー成形用流体を供給するための管路２５と連通する少なくとも１つの開口２４によって穿孔されており、上記管路２５は、実質的に穴３と平行に本体２を通過している。
【００３８】
ソレノイドバルブのハウジング２０を閉じるためのカバー２６が、本体２の壁面に固定されている。一般的には空気圧式である制御装置（これらの図には示されていない）を、このカバー２６に取り付けることができる。
【００３９】
ソレノイドバルブカートリッジ１９のハウジング２０は、半径方向内向きの端部に、ハウジング１２の基部に穿孔されて穴３へと開いている穴を、上述のそれぞれの半径方向の管路１３に整列させて有しており、これら整列した２つの穴が共に、その全体が参照符号３１で示されている半径方向の管路を構成している。
【００４０】
半径方向にハウジング１２と反対に延在してハウジング１２に正対しているハウジング１４が、同一のソレノイドバルブカートリッジを上述と同一の配置構成にて、高圧のブロー成形用流体を供給するための管路２７に接続して収容している。
【００４１】
上述のハウジング１２および１４に対して９０°ずらされて半径方向に延在しているハウジング１６（図２Ｂ）が、ソレノイドバルブカートリッジのチャンバ２１が（例として）消音装置２８に接続されて示されている点を除き、同一のソレノイドバルブカートリッジを上述と同一の配置構成にて収容している。この場合には、連通用の開口２４が、より大きな断面を有することができ、および／または、より多数であってよい。消音装置２８は、細長い環状のチャンバを画定する二重壁の筒状要素の形態で示されている。この筒状要素が、ハウジング１６を画定する本体２の円柱形の突き出し部分へと嵌め合わされており、その外壁には、多数の排気穴が穿孔されている。ソレノイドバルブ制御装置（図示せず）を、消音装置２８の内側において本体２に取り付けることができ、あるいは消音装置の自由端に取り付けることも可能である。
【００４２】
図２Ａおよび図２Ｂにおいては、ブロー成形装置１が、非動作の位置に示されており、予備ブロー成形用のソレノイドバルブ（ハウジング１２）およびブロー成形用のソレノイドバルブ（ハウジング１４）が閉鎖され、排気用のソレノイドバルブ（ハウジング１６）が開放され、可動ノズル４および細長い棒９は引き込まれている。図２Ｃ（図２Ａの図に類似した図である）においては、ブロー成形装置１が、予備ブロー成形に備えた第１の位置に示されているが、予備ブロー成形用のソレノイドバルブ（ハウジング１２）は、未だ動作していない。この第１の位置においては、可動ノズル４のみが駆動されて、ブランク材７の首部６上の位置へともたらされ、フランジ８に当接することによって封止の様相でブランク材７の首部６を覆っている。この位置において、可動ノズル４の外周を巡って分布した半径方向の開口２９が、案内手段の筒状の案内部１８によって露出され、一方、すなわちブランク材７および可動ノズル４の下端によって画定される空間と、他方、すなわち穴３の表面に設けられ、３つの各ソレノイドバルブと連通するための管路３１が開けられている環状の座ぐり３０との間に、接続を確立している。
【００４３】
図３には、図２Ａから図２Ｃのブロー成形装置１の具体的な一変形が、平面図で示されている。この組立体の設計は、図２Ｂに示したただ１つの排気用のソレノイドバルブではなく、ブロー成形工程の終わりにおいて残余の加圧流体を回収するために、追加のソレノイドバルブが設けられている点を除き、上述した設計と実質的に同様のままである（この場合には、制御装置３２が、ソレノイドバルブのカバー２６上の位置に示されている）。この目的のため、本体２が平行な２つのハウジング１６ａ、１６ｂを備え、これらのハウジング１６ａ、１６ｂがそれぞれ、今や直接に穴３にではなく、ハウジング１２および１４にそれぞれ組み合わせられた半径方向の管路１３および１５へと、それぞれの２つの管路１７ａ、１７ｂによって接続されている。
【００４４】
本発明による配置構成を実現するブロー成形装置のさらなる変形が、きわめて概略化した様相で図４に示されている。この図４においては、本体２のみが、穴３とともに、ならびにそれぞれの半径方向の管路１３、１５、および１７によって穴３へと連通し、それぞれ予備ブロー成形用、ブロー成形用、および排気用のソレノイドバルブを収容するように設計されている３つのハウジング１２、１４、１６とともに、示されている。この変形は、ハウジング１２、１４、および１６が穴３と平行ではなく、この穴に対して横方向であるという配置構成によって、図１の変形と相違しており、さらには、ハウジングが半径方向ではなく、穴３に対して側方にずらされているという事実によって、図２Ａから図２Ｃおよび図３の変形とも相違している。この配置構成は、図２Ａから図２Ｃおよび図３の配置構成と同様、本体２の高さを著しく小さくすることができるとともに、穴３を本体の中央位置に維持する。必要であれば、回収用のソレノイドバルブのために第４のハウジングを設けてもよいが、そのような構成は、本体２の４面に対して自由にアクセスできることを必要とし、特定の装置の構成においては不可能である場合がある。
【００４５】
この小型の構成による利点は、それを可動ノズル４を支持している本体に導入するのではなく、釣り鐘ノズル（仏国特許第２７６４５４４号明細書の図１に示されているノズル形式）の釣り鐘状の端部に直接導入できる点にある。すなわち、図４に示されている本体２が、本発明に従って構成された釣り鐘の本体である。
【００４６】
本発明による配置構成は、きわめて顕著な死空間の低減をもたらし、したがって容器の予備ブロー成形／ブロー成形に必要とされる加圧流体の量を、きわめて大きく削減する。分かりやすくするため、１８６ｃｍ３程度の死空間を有する従来のブロー成形装置において、ソレノイドバルブをブロー成形装置の本体に一体化させて導入することで、死空間を約１８ｃｍ３まで低減することが可能になると考えられ、すなわち１６８ｃｍ３もの顕著な節約が可能になると考えられる。
【００４７】
各ソレノイドバルブが中央の穴３に対して半径方向に配置されている、図２Ａに示した配置構成を検討する場合、穴３を画定している本体の側壁とソレノイドバルブのハウジング２０の端壁とを貫いて連通を形成している管路３１によって構成される死空間を、さらに縮小することが可能である。図５に、図２Ａの一部（左側に位置する部分）のみが、ただ１つのソレノイドバルブを示しつつ再掲されており、この場合には、すでに述べた構成に従いつつも、可動コア２２が、この目的のために機械加工されたハウジング１４内に直接取り付けられている点で相違している。この場合には、可動コア２２の前面３４の面取りによる円錐状の縁が、本体２への直接の機械加工によってハウジング１４の内側向きの端部に形成された環状の先細りの座３３と協働する。したがって、座３３の円錐は、ピストンの前面３４が穴３の側壁と同一面になるような円錐であってよい。この前面３４は、穴３の上記側壁と連続するよう、好ましくは内向きに湾曲することができる。このようにして、管路２７を可能な限り座３３の近くに開けることができ、したがってこの配置構成によって、管路２７と穴３との間の可動コア２２の下流の死空間を、きわめて大きく削減することができる。
【図面の簡単な説明】
【００４８】
【図１】本発明に従って設計されたブロー成形装置の主要な配置構成を示す、きわめて概略的な斜視側面図である。
【図２Ａ】図１の配置構成の一変形を導入してなる本発明によるブロー成形装置の具体的な実施形態について、それぞれが互いに対して９０°ずらされている横断面図である。
【図２Ｂ】図１の配置構成の一変形を導入してなる本発明によるブロー成形装置の具体的な実施形態について、それぞれが互いに対して９０°ずらされている横断面図である。
【図２Ｃ】図２Ａと同様の図であり、ノズルがブロー成形されるべきブランク材へと下げられ、ブロー成形プロセスの実行に備えている。
【図３】本発明によるブロー成形装置の具体的な実施形態の上方からの断面図であり、図２Ａから図２Ｃのノズルの一変形を示している。
【図４】本発明の配置構成を導入してなるさらなる変形を、きわめて概略的および簡略化して示した斜視側面図である。
【図５】図２Ａに示した配置構成の一変形の一部分を示す図である。
【図１】
2008503372.tif 000003
【図２Ａ】
2008503372.tif 000004
【図２Ｂ】
2008503372.tif 000005
【図２Ｃ】
2008503372.tif 000006
【図３】
2008503372.tif 000007
【図４】
2008503372.tif 000008
【図５】
2008503372.tif 000009
【国際調査報告】
2008503372.tif 000010
2008503372.tif 000011
2008503372.tif 000012
2008503372.tif 000013
2008503372.tif 000014
2008503372.tif 000015